(57)【要約】【課題】サンプルにおける検体の存在および／または濃度を決定する方法の提供。【解決手段】検体レベルをモニタリングするための組成物、方法、およびシステムが本明細書において提供される。本開示は、臨床設定における生物学的流体において、検体（例えば、シトレート、カルシウム、ホスフェート、およびマグネシウム）のリアルタイムなモニタリングのための方法およびシステムを提供する。一実施形態において、本開示は、検体を提供する工程；検体レセプター、およびインジケーターを提供する工程であって、ここで上記検体レセプターおよび上記インジケーターの少なくとも一部分は、レセプター／インジケーター複合体を形成する、工程；上記レセプター／インジケーター複合体を上記検体と接触させる工程；および検出可能なシグナルを生み出すために上記検体が上記レセプター／インジケーター複合体と相互作用するのを可能にする工程を含む方法を提供する。【選択図】なし【特許請求の範囲】
【請求項１】
本願明細書に記載された発明。
【発明の詳細な説明】
【技術分野】
【０００１】
関連出願への相互参照
本願は、２００９年７月１日に出願された米国仮特許出願第６１／２２２，２８５号に対する優先権を主張し、この米国仮特許出願第６１／２２２，２８５号は、本明細書中で参考として援用される。
【背景技術】
【０００２】
背景
持続的腎代替療法（ＣＲＲＴ）は、体外血液処置（ＥＢＴ）の形態であって、これは急性腎不全（ＡＲＦ）または末期腎臓病（ＥＳＲＤ）を有する患者のために集中治療室（ＩＣＵ）で実施されており、これらの患者は、複数の共存症を伴いしばしば血行力学的に不安定である。ＣＲＲＴの特定の形態、持続的静静脈血液濾過（ＣＶＶＨ）において、血液は血液濾過器を介してポンプで輸送され、尿毒症毒素を含んだ血漿限外濾過物は、１時間当たり１リットル〜１０リットルの速度で捨てられる（溶質の対流除去）。等量の、生理学的電解質および塩基濃縮物を伴う滅菌晶質溶液（代替流体、ＣＲＲＴ流体）は、体積減少（ｖｏｌｕｍｅ  ｄｅｐｌｅｔｉｏｎ）および血行力学的崩壊を回避するために血液濾過器の前（前希釈）、または血液濾過器の後（後希釈）のいずれかで、同時に血液回路へと注入される。
【０００３】
理論的および生理学的観点から、１日当たり２４時間連続して作動するとき、ＣＶＶＨは、本来の腎臓の機能を複製するための全ての入手可能な腎代替療法（ＲＲＴ）形式の中で、今日、最も忠実（ｃｌｏｓｅｓｔ）であり、腎不全で危篤状態の患者に好ましい処置形式である。それにもかかわらず、ＩＣＵにおけるＲＲＴの９０％が間欠的血液透析（ＩＨＤ）、持続低効率透析（ＳＬＥＤ）、または時には持続的静静脈血液濾過透析（ＣＶＶＨＤＦ）として実施される。ＲＲＴのこれら後者の方法の全てに共通しているのは、ほとんどの溶質の除去が、優勢に、血液濾過器の膜を介する血漿から透析流体への拡散のプロセスによることである。拡散は、より大きな溶質の除去においてあまり有効ではなく、また、対流よりもより予測できない小さい溶質の運動を提供し、従って、理論的見地から、ＣＶＶＨはＲＲＴの優れた方法である。
【０００４】
ＩＣＵにおけるＣＶＶＨの限定された使用についての最も重要な理由は、２４時間処置における体外回路の凝固を防ぐために血液凝固阻止が必須であることである。全身の血液凝固阻止は、危篤状態の患者における容認できない率の主要な出血性合併症を有し、安全になされ得ない。同様に、体外血液処置（例えば、プラズマフェレーシス、特殊なカラム上での血漿吸収、血液銀行手順、脂質アフェレーシスシステム、血漿吸収ベースの内毒素除去、生きた尿細管細胞を含むバイオ人工腎臓装置での処置、または肝臓代替療法回路での処置が挙げられる）はまた、強力な血液凝固阻止を必要とする。
【０００５】
限局性シトレート血液凝固阻止（ＲＣＡ：ｒｅｇｉｏｎａｌ  ｃｉｔｒａｔｅ  ａｎｔｉｃｏａｇｕｌａｔｉｏｎ）は、あらゆる全身の出血傾向を誘導することなく、回路凝固の臨床問題に対する可能な解決策として現れた。三価のアニオンであるシトレートは、ヒト血漿において、代謝の中間体として存在する。このイオンは、血漿においてイオン化カルシウムとキレート化し、単一の負のＣａ−シトレート複合体をもたらし、遊離イオン化カルシウムレベルを減少させる。凝固カスケードは、最適な機能のために遊離イオン化カルシウムを必要とするので、体外血液回路（ＥＢＣ）における血液凝固は、ＥＢＣの動脈（入り）四肢へのシトレートの注入によって完全に防がれ得る。血液が体外処理ユニットを通過するとき、血液凝固阻止効果は、ＥＢＣの静脈（戻り）四肢への遊離イオン化カルシウムの局所注入によって完全に逆転され得る。従って、理論的に、限局性シトレート血液凝固阻止は、全身の（患者内）出血傾向のない、非常に強力および完全に可逆性の両方であり得る。
【０００６】
限局性シトレート血液凝固阻止は、２０年より長い間実施されている。しかしながら、限外濾過物または血液の重大な組成の分析に対する単純かつ有効なプロトロルの不足に起因して、ＲＣＡの実施に関連する多くの複雑な状況が起こる。以下の複雑な状況は、よく記録されている：高ナトリウム血症；代謝性アルカローシス；代謝性アシドーシス、低カルシウム血症１（患者からの正味のカルシウム欠損に起因する）、低カルシウム血症２（全身のシトレートの蓄積に起因する）、跳ね返りの低カルシウム血症（ＣＶＶＨが停止した後のシトレートからのカルシウムの放出に起因する）、低リン酸血症、血液凝固阻止のレベルの変動、看護および医師の誤り、イオン化低マグネシウム血症、フィルター性能の衰え、微量金属減少（ｔｒａｃｅ  ｍｅｔａｌ  ｄｅｐｌｅｔｉｏｎ）など。これらの全ては、検体、具体的にはシトレートおよびイオン化カルシウムのリアルタイムのモニタリングが可能となる場合に解決され得る。
【０００７】
さらに、上のＣＶＶＨシステムを用いて、患者の全身の血漿シトレートレベルは、シトレートの身体での代謝に依存して０ｍｍｏｌ／Ｌ〜３ｍｍｏｌ／Ｌの範囲で変動し得る。３ｍＭまでの全身のシトレートの蓄積は、血漿総カルシウムレベルを比例的に増加させるためにカルシウム注入が増加されない限り、重大な全身性イオン化低カルシウム血症をもたらし得るので、全身のシトレートレベルおよび総カルシウムレベルを監視することが必要である。
【０００８】
シトレートおよびイオン化カルシウムの研究所での試験は、通常の臨床ＩＣＵ設定において利用可能ではない。シトレートレベルおよびカルシウムレベルにおける目立つ変化はまた、ＣＶＶＨの間の２〜３時間に発達し得、６時間毎の普通の血漿化学モニタリングでは、彼らが有害な臨床続発症を有する前にこのような問題を時宜を得た手法で検出できないほど速い。流出流体は、患者の血漿溶質組成についての豊富な情報を含む。この流体は、少量のアルブミン、小さいペプチド、および存在するサイトカインをも有する澄んだ晶質である。上記流出流体の透明度および最小限の粘度は、光学センサアレイおよび／または化学センサアレイのための理想の環境に備える。しかしながら、現行の臨床実行において、一切のさらなる分析なく、それは捨てられる。
【０００９】
さらに、低マグネシウム血症として公知の、血中の低減されたＭｇ（ＩＩ）濃度は、虚弱、筋肉の痙攣、心不整脈、振せんを伴う神経系の被刺激性の増加、アテトーシス、痙動、眼振、および伸筋足底反射をもたらし得る。さらに、錯乱、失見当、幻覚、鬱病、癲癇発作、高血圧、頻脈、およびテタニーがあり得る。しかしながら、マグネシウムの便利で信頼できる臨床モニタリングプロトコルの不足に起因して、総血漿カルシウムと総血漿マグネシウムとの間の２．５：１のモル濃度比は、市販されている高Ｍｇ代替流体を用いることによって、通常維持される。ホスフェート欠損もまた、非常に大きいものであり得、ＣＲＲＴ代替流体にホスフェートが添加されない限り、ＣＶＶＨの間の毎日の高クリアランスゴール（ｃｌｅａｒａｎｃｅ  ｇｏａｌ）を伴う重度の低リン酸血症をすぐにもたらし得る。
【００１０】
臨床設定において検体（例えば、シトレート、イオン化カルシウム、マグネシウム、ホスフェートなど）のレベルを測定するための有効なリアルタイムな方法を開発する必要性がある。このような方法は、現在捨てられている流出流体を利用し得る。
【発明の概要】
【課題を解決するための手段】
【００１１】
本開示は、一般に、サンプルにおける検体の存在および／または濃度レベルを決定する方法に関する。より詳しくは、いくつかの実施形態において、本開示は、サンプルにおけるシトレート、イオン化カルシウム、マグネシウム、および／またはホスフェートの濃度を測定する方法に関する。
【００１２】
１つの実施形態において、本開示は、検体を提供する工程；検体レセプター、およびインジケーターを提供する工程であって、ここで上記検体レセプターおよび上記インジケーターの少なくとも一部分は、レセプター／インジケーター複合体を形成する、工程；上記レセプター／インジケーター複合体を上記検体と接触させる工程；および検出可能なシグナルを生み出すために上記検体が上記レセプター／インジケーター複合体と相互作用するのを可能にする工程を含む方法を提供する。
【００１３】
別の実施形態において、本開示は、検体レセプターおよびインジケーターを含むレセプター／インジケーター複合体；および検体を含み、ここで上記検体は、上記レセプター／インジケーター複合体におけるインジケーターと置き換わり；そしてここで、上記置き換わったインジケーターは、検出可能なシグナルを生み出すシステムを提供する。
【００１４】
本開示の特徴および利点は、以下の実施形態の記載の解釈に際して当業者に容易に明らかである。
例えば、本願発明は以下の項目を提供する。
（項目１）
方法であって、該方法は、
検体を提供する工程；
検体レセプター、およびインジケーターを提供する工程であって、ここで該検体レセプターおよび該インジケーターの少なくとも一部分は、レセプター／インジケーター複合体を形成する、工程；
該レセプター／インジケーター複合体を該検体と接触させる工程；および
検出可能なシグナルを生み出すために該検体が該レセプター／インジケーター複合体と相互作用するのを可能にする工程
を含む、方法。
（項目２）
前記検体が生物学的流体に存在する、項目１に記載の方法。
（項目３）
前記生物学的流体に存在する前記検体の濃度レベルをモニタリングする工程をさらに含む、項目２に記載の方法。
（項目４）
前記生物学的流体が、血液濾過もしくは透析を有する血液濾過器もしくは透析装置、またはこれら２つのプロセスの任意の組み合わせにおいて生み出される、体外血液回路流出流体を含む、項目２に記載の方法。
（項目５）
フローインジェクション分析機器を用いることによって前記検出可能なシグナルを検出する工程をさらに含む、項目１に記載の方法。
（項目６）
前記検出可能なシグナルを較正曲線と相関させて、前記検体の濃度を決定する工程をさらに含む、項目１に記載の方法。
（項目７）
前記検体が、イオン化カルシウム、シトレート、ホスフェート、およびマグネシウムからなる群から選択される、項目１に記載の方法。
（項目８）
前記検体が前記レセプター／インジケーター複合体と相互作用することを可能にする工程が、該検体が該レセプター／インジケーター複合体におけるインジケーターの少なくとも一部分と置き換わって、レセプター／検体複合体を形成することを可能にする工程を含む、項目１に記載の方法。
（項目９）
前記検体が前記レセプター／インジケーター複合体と相互作用することを可能にする工程が、該検体が該レセプター／インジケーター複合体に結合することを可能にする工程を含む、項目１に記載の方法。
（項目１０）
前記インジケーターが、発色団、蛍光物質、アリザリンコンプレクソン、５−カルボキシフルオレセイン、ピロカテコールバイオレット、およびキシレノールオレンジからなる群から選択される少なくとも１つのインジケーターを含む、項目１に記載の方法。
（項目１１）
前記検体がホスフェートおよびシトレートを含む、項目１に記載の方法。
（項目１２）
ホスフェートおよびシトレートの濃度を推定するための数学的処理を用いる工程をさらに含む、項目１１に記載の方法。
（項目１３）
前記数学的処理が、人工ニューラルネットワーク（ＡＮＮ）を含む、項目１１に記載の方法。
（項目１４）
システムであって、該システムは、
検体レセプターおよびインジケーターを含むレセプター／インジケーター複合体；および検体を含み、ここで該検体は、該レセプター／インジケーター複合体において該インジケーターを置き換え；そしてここで、置き換えられたインジケーターが検出可能なシグナルを生み出す、システム。
（項目１５）
前記検体が生物学的流体に存在する、項目１４に記載のシステム。
（項目１６）
前記検体が生物学的流体に存在し、そして該生物学的流体が、血液濾過もしくは透析を有する血液濾過器もしくは透析装置、またはこれら２つのプロセスの任意の組み合わせにおいて生み出される、体外血液回路流出流体である、項目１４に記載のシステム。
（項目１７）
フローインジェクション分析機器をさらに含む、項目１４に記載のシステム。
（項目１８）
前記検体が、イオン化カルシウム、シトレート、ホスフェート、およびマグネシウムからなる群から選択される、項目１４に記載のシステム。
【図面の簡単な説明】
【００１５】
本開示のより完全な理解は、付随する図と組み合わせて得られる以下の記載を参照することによって得られ得る。
【図１】図１は、１つの実施形態に従う、インジケーター置き換えアッセイを介した検体感知の機構を示すイメージである。
【図２】図２は、１つの実施形態に従う、レセプター／インジケーター複合体（Ｆｕｒａ−２）に結合する検体（Ｃａ２＋）を介した検体感知の機構を示すイメージである。
【図３Ａ】図３Ａは、１つの実施形態に従う、代表的なシトレートレセプターの構造を示す。
【図３Ｂ】図３Ｂは、１つの実施形態に従う、代表的なシトレートレセプターの構造を示す。
【図４】図４は、１つの実施形態に従う、数個の代表的なＣａ２＋レセプターを示す。
【図５】図５は、１つの実施形態に従う、数個の代表的なＭｇ２＋レセプターを示す。
【図６】図６は、１つの実施形態に従う、公知の化合物からのＭｇ２＋レセプター２および３（図５）の合成スキームを示す。
【図７】図７は、１つの実施形態に従う、代表的なＭｇ２＋レセプターを示す。
【図８】図８は、１つの実施形態に従う、Ｈ−ｂｐｍｐに基づく代表的なホスフェートレセプターを示す。
【図９】図９は、１つの実施形態に従う、Ｈ−ｂｐｍｐを用いてインジケーター置き換えアッセイを介した検体感知の機構を示すイメージである。
【図１０】図１０は、１つの実施形態に従う、ホスフェート検体の添加の際の、Ｈ−ｂｐｍｐレセプターおよびピロカテコールバイオレットインジケーターを含む溶液のＵＶ−Ｖｉｓスペクトルの変化を示す。
【図１１】図１１は、１つの実施形態に従う、代表的なインジケーターの構造を示す。
【図１２】図１２Ａおよび１２Ｂは、１つの実施形態に従う、シトレート（１１Ａ）およびＣａ２＋（１１Ｂ）についてのサンプル較正曲線を示す。
【図１３】図１３は、１つの実施形態に従う、フローインジェクション分析（「ＦＩＡ」）機器の作動原理を示す。
【図１４】図１４は、１つの実施形態に従うＦＩＡ機器の概要描写である。
【図１５】図１５は、アリザリンコンプレクソンおよびシトレートとのレセプター２の提案される結合方式を示す。
【図１６】図１６Ａは、１つの実施形態に従う、シトレートの添加の際のレセプター２およびアリザリンコンプレクソンの両方を含む溶液のＵＶ−Ｖｉｓスペクトルの変化を示す。矢印は、シトレート濃度が増加する際のスペクトル変化を指し示す。図１６Ｂは、１つの実施形態に従う、５４０ｎｍでの吸光度をモニタリングすることによるシトレート濃度の外挿較正曲線を示す。
【図１７】図１７Ａは、１つの実施形態に従う、Ｃａ２＋の添加の際のＦｕｒａ−２を含む溶液のＵＶ−Ｖｉｓスペクトルの変化を示す。矢印は、Ｃａ２＋濃度が増加する際のスペクトル変化を指し示す。図１７Ｂは、１つの実施形態に従う、３７３ｎｍでの溶液の吸光度をモニタリングすることによるＣａ２＋濃度の外挿較正曲線を示す。
【発明を実施するための形態】
【００１６】
本開示は、種々の改変および代替の形態の影響を受けやすいが、特定の実施例の実施形態は、図に示されて、本明細書中でより詳細に記載される。しかしながら、特定の実施例の実施形態の記載が、本開示を、開示される特定の形態に限定することを意図しないことが理解されるべきであるが、しかしこれに反して、本開示は、添付の特許請求の範囲により定義されるような全ての改変物および等価物を含む。
【００１７】
本開示は、一般に、サンプルにおける検体の存在および／または濃度レベルを決定する方法に関する。より詳しくは、いくつかの実施形態において、本開示は、サンプルにおけるシトレート、イオン化カルシウム、マグネシウム、および／またはホスフェートの存在および／または濃度レベルを決定する方法に関する。
【００１８】
１つの実施形態において、本開示は、検体を提供する工程；検体レセプターおよびインジケーターを提供する工程であって、ここで上記検体レセプターおよび上記インジケーターの少なくとも一部分は、レセプター／インジケーター複合体を形成する、工程；上記レセプター／インジケーター複合体を上記検体と接触させる工程；および検出可能なシグナルを生み出すために上記検体が上記レセプター／インジケーター複合体と相互作用するのを可能にする工程を含む方法を提供する。いくつかの実施形態において、上記検体は、上記レセプター／インジケーター複合体におけるインジケーターの少なくとも一部分と置き換わって、レセプター／検体複合体を形成する。他の実施形態において、上記検体は、レセプター／インジケーター複合体に結合し得る。
【００１９】
本開示は、リアルタイムで、または一定の間隔（例えば、１時間ごと）で検体の濃度レベル（例えば、シトレート、カルシウム、マグネシウム、およびホスフェート）のモニタリングを可能にする方法を提供することにより、ＣＶＶＨまたは同様の手順に関連する臨床問題の多くを解決し得る方法を提供する。最大限の安全性のために、特定の実施形態において、上記方法は、モニタリング人員に処置設定を見直し、調整するように促して、ＣＶＶＨまたは同様の手順の安全な継続を確実にするための、全身の検体レベルにおけるあらゆる変化の警告を提供し得る。さらに、いくつかの実施形態において、本開示の方法は、カルシウム＋マグネシウムの投薬を含む、投与量の微調整についての情報を提供し得、また、シトレート代謝速度のモニタリングを介して肝臓の代謝機能を監視し得る。
【００２０】
シトレートと遊離イオン化カルシウムとの間の相互作用に起因して、本開示の目標は、サンプル（例えば、体液）における検体（例えば、シトレートおよび／またはイオン化カルシウム（例えば、遊離および／または総イオン化カルシウム））の濃度レベルを測定するための方法を提供することにより達成され得る。１つの実施形態において、レセプターおよびインジケーターは、ＣＶＶＨの間にフィルター流出流体ラインにおいて提供され得る。このことは、患者の全身の血液における検体レベルの間接的な測定を可能にする。
【００２１】
１つの実施形態において、本開示の方法は、検体（例えば、シトレートまたは異なる検体）の定量化のためにインジケーター置き換えアッセイ（ＩＤＡ：ｉｎｄｉｃａｔｏｒ  ｄｉｓｐｌａｃｅｍｅｎｔ  ａｓｓａｙ）を利用し得る。図１は、本開示の１つの実施形態に従う、ＩＤＡを示すイメージを含む。図１に示されるように、ＩＤＡは、検体レセプターがインジケーター（例えば、発色団または蛍光物質）と弱く会合した複合体を形成するのを最初に可能にし、平衡に達するプロセスである。この平衡は、インジケーターよりもレセプターに対してより良好な構造的相補性を有する検体が系に導入されるときに影響される。上記レセプター／インジケーター複合体は、減り始め、レセプター／検体複合体が形成するのを可能にする。同時に、上記レセプターの空洞の中の上記インジケーターは放出される。上記インジケーターの化学的環境の変動に起因して、その出力シグナル、通常は吸収スペクトルまたは発光スペクトル、は改変される。この変化は、関連する平衡を記載する必要なパラメーターが公知であるという条件で検体濃度の分析において便利に使用され得る。
【００２２】
別の実施形態において、本開示は、検体がレセプター／インジケーター複合体に結合するのを可能にすることによる検体の検出に備える。検体結合の後、検出可能なシグナルが生み出される。１つの例は図２に示され、それは、レセプター／インジケーター複合体Ｆｕｒａ−２に対するイオン化カルシウムの結合を示すイメージを含む。
【００２３】
本開示の方法の成功は、少なくとも部分的に、検体に結合するレセプターまたはレセプター／インジケーター複合体の親和性に依存する。多様な異なるレセプターが使用され得る。検体がシトレートである特定の実施形態において、レセプターは、２，４，６−トリエチルベンゼンコアに基づく。しかしながら、レセプターは、官能基を集める任意の骨格を使用し得る。種々の官能基（例えば、グアニジニウムおよびフェニルボロン酸が挙げられるが、これらに限定されない）は、１位、３位、および５位において置換される。グアニジニウムは、その形状が、シトレートに存在するカルボキシレートの結合について伝導性があるので有利な官能基であり、それは幅広いｐＨ範囲にわたってプロトン化されたままとなる。フェニルボロン酸（ｐｈｅｎｙｌｂｏｒｏｎｉｃ  ａｃｉｄ）は、共有結合によってシトレートのα−ヒドロキシカルボキシレート部分と強固なボロン酸エステル（ｂｏｒｏｎａｔｅ  ｅｓｔｅｒ）を形成し得、シトレート結合についての別の有利な官能基になる。図３Ａおよび３Ｂは、数個の代表的なシトレートレセプターを例示する。これらのシトレートレセプターのそれぞれは、当業者によって容易に合成され得る。最初の試みは、レセプター２がシトレートについての好ましいレセプターであり得ることを示している。シトレートレセプターとグルコース、フルクトース、またはラクテートとの間の相互作用は、無視されるに足るほど微々たるものである。他の化合物またはイオン（例えば、バイカーボネート、塩化物、ホスフェート、およびβ−ヒドロキシブチレート）はまた、干渉をもたらさないことが予想される。
【００２４】
検体がカルシウムである実施形態において、多様なＣａ２＋レセプター（そのいくつかのみが図４に示される）が、使用され得、異なる販売業者から現在市販されている。それらの多くは、共通のＥＤＴＡ模倣部分を有し、それは、溶液においてＣａ２＋と安定な複合体を形成する。このような部分が発色団または蛍光物質に付加されるとき、改変された分光学的特性は錯化後に生じる。１つの実施形態において、カルシウムレセプターは、Ｆｕｒａ−２であり得、それは、Ｉｎｖｉｔｒｏｇｅｎから市販されている。Ｃａ２＋とのＦｕｒａ−２の高い錯化定数のおかげで、Ｆｕｒａ−２は、競合するアニオン（例えば、シトレート３−、ＰＯ４３−など）との錯体からＣａ２＋を引き抜き得た。さらに、Ｆｕｒａ−２は、他のイオン（例えば、Ｍｇ２＋、Ｎａ＋、Ｋ＋など）にまさってＣａ２＋に対して高い選択性を示す。Ｆｕｒａ−２の吸収バンドは、２７３ｎｍに集まる。このことは、透析流体における残留のタンパク質によってもたらされる干渉が本質的に存在することなく、Ｃａ２＋の検出が行われることを可能にしており、上記タンパク質は一般に３３０ｎｍより下の吸収を生み出す。
【００２５】
検体がマグネシウムである実施形態において、多様なＭｇ２＋レセプターが、使用され得る。当業者に認識されるように、最新の市販されているＭｇ２＋レセプターは、Ｃａ２＋に対してより高い親和性を示す。従って、適切なＭｇ２＋レセプターを選ぶとき、Ｃａ２＋にまさってＭｇ２＋に親和性を示すレセプターが選択され得る。
【００２６】
１つの実施形態において、適切なＭｇ２＋レセプターは、図５に示されるレセプターを含み得る。レセプター２および３（図５から）は、図６に示すような対応するアクリジンまたはキサンテン前駆体から合成され得る。４，５−ジフルオロアクリジン（４）の２つのフッ素原子は、適切な求核剤で処理されるときに、ＳＮＡＲ機構によって置き換えられ得る。中性のホスフィンがＣ−９において共役付加する間に負に荷電した亜リン酸種がフッ素原子を置き換えることが報告された。９，９−ジメチルキサンテン（６）の二回のオルト−リチウム化は、ペンタン中のｎ−ＢｕＬｉおよびＴＭＥＤＡでの１０分間の還流によって達成される。クロロジエチルホスフェートでのクエンチは、エチルホスホネート中間体をもたらす。５および７は、濃ＨＣｌ溶液中での還流によって容易に加水分解され得て、それぞれ、所望されるレセプター２および３を生じ得る。さらに、レセプター２または３（図５から）の立体的および電子的特性は、図７に示されるようにホスホネート基のアルキル化によってさらに微調整され得る。
【００２７】
本開示はまた、ホスフェートの試験を可能にする。種々の程度の選択性を有する多くのホスフェートレセプターは、当該分野において公知である。１つの実施形態において、適切なホスフェートレセプターは、図８に示されるレセプターを含み得る。Ｈ−ｂｐｍｐは、一般的なアニオン（例えば、塩化物イオン、重炭酸イオン、硝酸イオンなど）にまさって選択性を示すことが報告されているので、（Ｈａｎ，Ｍ．Ｓ．ｅｔ．ａｌ．Ａｎｇｅｗ．Ｃｈｅｍ．，Ｉｎｔ．Ｅｄ．２００２，４１，３８０９?３８１１）において報告され
るように好ましい実施形態はＨ−ｂｐｍｐを使用する。上記レセプターは、文献手順に従うことにより合成され得る。１つの実施形態に従う感知機構は、図９に示される。ピロカテコールバイオレット（ＰＶ）は、ホスフェートまたは他の競合するアニオンの非存在下で２つのＺｎ２＋金属中心に配位し得る。ホスフェート溶液の添加の際に、ＰＶは置き換えられ、そのプロトン化状態に対する変化は、溶液の色を淡いネイビーから茶色っぽい黄色へと変化させる。
【００２８】
図１０に示されるようにホスフェートは著しいスペクトル変化をもたらすが、最初の結果は、シトレートがＨ−ｂｐｍｐレセプターに対してより高い親和性を示すという事実に起因して、シトレートがホスフェート感知に対して重度の干渉をもたらし得ることを示している。２つの干渉する改変体が決定されるべきであるこのようなシステムにおいて、パターン認識の使用を導入することが必要であった。ホスフェート感知が実施されるとき、読出しシグナルに対する変化は、溶液中のホスフェートの濃度だけではなく、シトレートの濃度によっても決定される。ホスフェートの影響は最小限であるが、シトレート感知が実施されるときにも同じことが当てはまる。生データの人工ニューラルネットワーク（ＡＮＮ）処理のような数学的処理は、ホスフェートおよびシトレートの両方の実際の濃度を推定するのを助け得る。１つの実施形態において、ＵＶ−Ｖｉｓ測定の処理は、Ｓｔａｔｉｓｔｉｃａ  Ａｒｔｉｆｉｃｉａｌ  Ｎｅｕｒａｌ  Ｎｅｔｗｏｒｋソフトウェアを用いて成し遂げられ得る。
【００２９】
１００％水性バッファー溶液の代わりに７５％ＭｅＯＨ：２５％水性バッファー（ｖ／ｖ）を含む溶媒系の使用により、シトレートにまさってホスフェートに対する選択性を改善することが見出される。このことは、ホスフェート測定において、より高い正確性をもたらし得る。さらに、ホスフェート感知集合（ｅｎｓｅｍｂｌｅ）溶液の安定性はまた、このような溶媒系において、劇的に改善される。
【００３０】
本開示における使用に適したインジケーターは、レセプター／インジケーター複合体から検体に置き換えられるときに検出可能なシグナルを生み出すことが可能なインジケーター、または検体が上記レセプター／インジケーター複合体に結合されているときに検出可能なシグナルを生み出すことが可能なインジケーターを含む。適切なインジケーターの例としては、発色団、蛍光物質、アリザリンコンプレクソン、５−カルボキシフルオレセイン、ピロカテコールバイオレット、およびキシレノールオレンジが挙げられるが、これらに限定されない。図１１は、カテコール部分または複数のアニオン残基のいずれかで特徴づけされるいくつかの代表的なインジケーターを図解する。１つの実施形態において、アリザリンコンプレクソンは、シトレート濃度の分析のためのインジケーターとして使用される。アリザリンコンプレクソンは、可逆性のボロン酸／ジオール相互作用に由来するレセプター２との比較的高い結合親和性を示す。レセプターとインジケーターとの間のこの相互作用は、レセプター／インジケーター複合体が、大部分の形を成すのを可能にするほど強く、従って大きなスペクトル変化が獲得される。このことは、シトレート濃縮物測定作業を実施するときに誤りを最小限にすることにおいて特に都合がよい。しかしながら、会合の強さは、依然として、インジケーターがシトレートによって、本質的な完了まで置き換えられるのを可能にするほど穏やかである。較正曲線は、シトレートまたは別の検体の公知の濃度で光の特定の波長の吸光度を曲線で表示することにより作り出され得る。図１２Ａおよび１２Ｂは、シトレートおよびカルシウムについての代表的な較正曲線を示す。後に、未知のサンプルの濃度は、単純にＵＶ−Ｖｉｓ吸収を調べること、および確立された較正曲線と比較することによって決定され得る。しかしながら、温度は平衡にかなり影響するので、温度を説明することは重要である。分析の間の室温の変化は、偏った結果をもたらし得る。
【００３１】
検出可能なシグナルが生み出された後、いくつかの実施形態において、このシグナルは、多様な方法を介して検出され得る。１つの実施形態において、上記シグナルは、分光計の使用を介して検出され得る。別の実施形態において、上記シグナルは、フローインジェクション分析（ＦＩＡ）機器の使用を介して検出され得る。例えば、Ｏｃｅａｎ  Ｏｐｔｉｃｓ，Ｉｎｃ．からの連続インジェクション分析（ＳＩＡ）システムが使用され得る。いくつかの実施形態において、一般のＵＶ／ｖｉｓ分光計が非常に空間的不利なので、検出のこの方法は、特に都合がよい。ＳＩＡシステムは、５’’×６’’×６’’の寸法を有し、重さは、約８ｌｂｓである。それはまた、パーソナルコンピューターの補助での体積の正確な制御で液体移動および混合を自動化し得る。組み込みのコンパクトＵＶ−Ｖｉｓ光度計は、次に吸収スペクトルを捕捉し得、取得されたデータは同時に分析され得る。このＳＩＡ機器の作動原理は、図１３に示される。感知溶液および透析流体のアリコートは、光学シグナル測定のための内臓のフローセルへとさらに押し込まれる前に混合コイルへと吸引される。このＳＩＡ装置は、間欠的測定が自動様式でなされることを可能にする。特定の適用についてのプログラムに依存して、度数（ｆｒｅｑｕｅｎｃｙ）は１分ほどと同じくらい速いものであり得る。
【００３２】
別の実施形態において、図１４に示されるＦＩＡの作動原理に基づく機器は、連続のリアルタイムな様式で測定するために使用され得る。１つの実施形態において、試験される透析流体は、定常の速さでフローインジェクション分析（ＦＩＡ）機器に通じるラインへとポンプで輸送される。特定の検体（例えば、Ｃａ２＋、シトレート、マグネシウム、ホスフェートなど）についての感知集合ストック溶液のアリコートは、ラインへとポンプで輸送されて、透析流体と混合され、種々の検出器（例えば、ＵＶ−Ｖｉｓ分光光度計、ＣＣＤカメラなど）によって収集される光学シグナルを誘導する。光学シグナルが一般に好ましいが、特定の状況において都合がよい場合に他の方法も考慮され得、その方法としては、近赤外線分光法、ラマン分光法、電位差滴定などが挙げられるがこれらに限定されない。脱ガスモジュールは、混合の間にガスの泡が生み出される場合に使用されるものであり得た。
【００３３】
本開示のよりよい理解を容易にするために、いくつかの実施例の特定の局面の以下の実施例が与えられる。以下の実施例が、本開示の範囲全体を限定または定義すると解釈されることはない。
【実施例】
【００３４】
実施例１
シトレート、Ｃａ２＋、Ｍｇ２＋、およびＣＯ２を除く、代表的な透析流体の全ての不可欠な構成要素を含む水溶液を調製する。上のストック溶液から７．４０のｐＨを有する１００ｍＭのＨＥＰＥＳバッファーを調製する。シトレート感知集合体を以下のように調製する：１）７５ｍＬのＭｅＯＨと２５ｍＬのＨＥＰＥＳバッファーを混合し、２）特定の量のシトレートレセプター２およびアリザリンコンプレクソンを溶解して、それらの濃度を、それぞれ１００μＭおよび２５０μＭにする。
【００３５】
感知集合体へのシトレートの添加の際に、アリザリンコンプレクソンは、レセプター２の空洞から置き換えられ、レセプター２とシトレートとの間のより大きな親和定数を生む。ボロン酸／ジオール相互作用の他に、荷電対は、シトレートとレセプター２との間の錯化についての追加の推進力を提供する（図１５）。
【００３６】
図１６Ａは、レセプターの空洞内およびレセプターの空洞外にあるときのアリザリンコンプレクソンの吸収スペクトルの変化を実証する。シトレート濃度が増加するにつれて、３３７ｎｍおよび５４０ｎｍでのアリザリンコンプレクソンの吸収最大量は増加し、他方、４４７ｎｍでの最大量は減少する。較正曲線は、５４０ｎｍでの溶液吸光度に対して、対応するシトレート濃度を曲線で表示することにより作られる（図１６Ｂ）。
【００３７】
実施例２
上で言及したストック溶液を用いて、２５μＭでのＦｕｒａ−２の溶液を調製する。Ｃａ２＋を含むサンプルのアリコートを添加し、ＵＶ−Ｖｉｓスペクトルにおける変化を観測する。Ｃａ２＋濃度が増加するにつれて、３７３ｎｍでの吸収最大量は減少し、他方３３０ｎｍでの最大量は増加する（図１７Ａ）。較正曲線は、３７３ｎｍでの溶液吸光度に対して、対応するＣａ２＋濃度を曲線で表示することにより作られる（図１７Ｂ）。未知のサンプルのＣａ２＋濃度は、Ｆｕｒａ−２溶液へのその添加、３７３ｎｍでの吸光度を調べること、および較正曲線を比較することにより取得され得る。Ｆｕｒａ−２は、１）透析物流体に存在する別の普及している二価カチオンであるＭｇ２＋が干渉せず、２）Ｃａ２＋に対して比較的弱い結合親和性を有するシトレートがＣａ２＋結合においてＦｕｒａ−２を置き換えないほど、Ｃａ２＋との高い結合定数を示す。
【００３８】
実施例３
ヘンリーフォード病院のＩＣＵユニットから取得された８人の患者の透析物流体サンプルを、図１２Ａおよび１２Ｂに示される較正曲線を用いて［Ｃａ２＋］および［シトレート］について試験した。透析物流体におけるＣａ２＋およびシトレートの濃度を、結果として生じる溶液の吸収スペクトルに基づいて計算した（表１）。
【００３９】
【表１】
2014142361.tif 000002
従って、本開示は、言及される目的および利点ならびに本明細書中で固有であるものを獲得するようによく適合される。数多くの変化が当業者によってなされ得るが、このような変化は、添付の特許請求の範囲によって部分的に説明されるように、本開示の趣旨の中に包含される。
【図２】
2014142361.tif 000003
【図３Ａ】
2014142361.tif 000004
【図３Ｂ】
2014142361.tif 000005
【図４】
2014142361.tif 000006
【図５】
2014142361.tif 000007
【図９】
2014142361.tif 000008
【図１】
2014142361.tif 000009
【図６】
2014142361.tif 000010
【図７】
2014142361.tif 000011
【図８】
2014142361.tif 000012
【図１０】
2014142361.tif 000013
【図１１】
2014142361.tif 000014
【図１２】
2014142361.tif 000015
【図１３】
2014142361.tif 000016
【図１４】
2014142361.tif 000017
【図１５】
2014142361.tif 000018
【図１６】
2014142361.tif 000019
【図１７】
2014142361.tif 000020
【外国語明細書】
2014142361000001.pdf